(57)【要約】      （修正有）【課題】ユーザが目的地へ移動した後の行動についてのユーザに対する保安管理を、ユーザの目的地への移動に関連させて行う保安管理装置を提供する。【解決手段】目的地へのユーザの到着予定時刻を示す到着予定時刻データと、目的地に到着後のユーザの行動に対応した内容を含む行動対応データと、ユーザを識別する識別データと、を取得するインターフェース１と、取得した到着予定時刻データ、行動対応データ及び識別データに基づいて、到着予定時刻に対応する時間範囲内に、識別データにより示されるユーザにより、行動対応データに対応する行動が行われたかを判定する判定部２と、判定部２における判定結果に基づいて、判定結果に対して予め対応付けられている保安処理を行う手続部３と、を備える。【選択図】図３
2016062288.tif 000002
【特許請求の範囲】
【請求項１】
目的地へのユーザの到着予定時刻を示す到着予定時刻情報と、前記目的地に到着後の前記ユーザの行動に対応した内容を含む行動対応情報と、前記ユーザを識別する識別情報と、を取得する取得手段と、
前記取得した到着予定時刻情報、行動対応情報及び識別情報に基づいて、前記到着予定時刻に対応する時間範囲内に、前記識別情報により示される前記ユーザにより、前記行動対応情報に対応する前記行動が行われたかを判定する判定手段と、
前記判定手段における判定結果に基づいて、当該判定結果に対して予め対応付けられている保安処理を行う処理手段と、
を備えることを特徴とする保安管理装置。
【請求項２】
請求項１に記載の保安管理装置において、
前記時間範囲内に前記ユーザにより前記行動が行なわれていないと前記判定手段において判定された場合、前記保安処理は当該判定結果を報知する報知処理であることを特徴とする保安管理装置。
【請求項３】
請求項１又は請求項２に記載の保安管理装置において、
前記到着予定時刻は、前記ユーザに属する端末装置において探索された前記目的地についての到着予定時刻であり、
前記取得手段は、通信を介して、少なくとも前記到着予定時刻情報及び前記識別情報を前記端末装置から取得することを特徴とする保安管理装置。
【請求項４】
請求項３に記載の保安管理装置において、
前記目的地を示す目的地情報が前記端末装置内に予め記録されており、
前記到着予定時刻情報が、前記端末装置において選択された前記目的地への前記到着予定時刻を示すことを特徴とする保安管理装置。
【請求項５】
請求項１から請求項４のいずれか一項に記載の保安管理装置において、
前記行動は、前記目的地に到着した前記ユーザにおける当該目的地における行動であり、
前記判定手段は、前記行動対応情報に対応する前記行動が前記目的地において行われたかを判定することを特徴とする保安管理装置。
【請求項６】
請求項１から請求項５のいずれか一項に記載の保安管理装置において、
前記保安処理は、前記目的地において前記ユーザを認証する認証処理を含むことを特徴とする保安管理装置。
【請求項７】
請求項６に記載の保安管理装置において、
前記認証処理は、前記ユーザにより設定された暗証番号を用いた認証処理であることを特徴とする保安管理装置。
【請求項８】
保安処理を行う保安管理装置において実行される保安管理方法において、
目的地へのユーザの到着予定時刻を示す到着予定時刻情報と、前記目的地に到着後の前記ユーザの行動に対応した内容を含む行動対応情報と、前記ユーザを識別する識別情報と、を取得する取得工程と、
前記取得した到着予定時刻情報、行動対応情報及び識別情報に基づいて、前記到着予定時刻に対応する時間範囲内に、前記識別情報により示される前記ユーザにより、前記行動対応情報に対応する前記行動が行われたかを判定する判定工程と、
前記判定工程における判定結果に基づいて、当該判定結果に対して予め対応付けられている前記保安処理を行う処理工程と、
を含むことを特徴とする保安管理方法。
【請求項９】
コンピュータを、請求項１から請求項７のいずれか一項に記載の保安管理装置に備えられた各前記手段として機能させることを特徴とする保安管理装置用プログラム。
【発明の詳細な説明】
【技術分野】
【０００１】
本願は、保安管理装置、保安管理方法及び保安管理装置用プログラムの技術分野に属する。より詳細には、人、自転車又は車両等である移動体の移動に伴う保安処理を行う保安管理装置及び保安管理方法並びに当該保安管理装置用のプログラムの技術分野に属する。
【背景技術】
【０００２】
近年、例えば車両の移動を案内するナビゲーション装置が広く一般化している。このようなナビゲーション装置において、その使用者（以下、単に「ユーザ」と称する）が探索したルートにおける目的地等への到着予定時刻を示す到着予定時刻データを用いて、例えばユーザにその出発時刻を報知する等の構成が用いられている。このような構成を開示する先行技術文献としては、下記特許文献１がある。
【０００３】
この特許文献１に開示されている技術では、設定されたスケジュールに基づき次の訪問場所へ移動するための行動開始時刻になると、ナビゲーション装置が、そのユーザが持ち歩く携帯電話を呼び出して行動開始時刻であることを通知し、その通知を受けた携帯電話が行動開始時刻であることをユーザに報知する構成とされている。
【先行技術文献】
【特許文献】
【０００４】
【特許文献１】特開２００２−８３３９３号公報
【発明の概要】
【発明が解決しようとする課題】
【０００５】
しかしながら上記特許文献１に開示されている技術では、到着予想時刻に対応した出発時刻をユーザに報知する構成に止まっている。
【０００６】
一方近年では、いわゆるセキュリティ（保安又は保全）の観念が広まっており、これに伴って、上記のようなナビゲーション装置の機能を用いて、そのユーザに対する保安管理の確実性（保全性）を高めることが要請されている。
【０００７】
そこで本願は、上記の要請に鑑みて為されたもので、その課題の一例は、ユーザがその目的地へ移動した後の行動についての当該ユーザに対する保安管理を、当該ユーザの目的地への移動に関連させて行うことが可能な保安管理装置及び保安管理方法並びに当該保安管理装置用のプログラムを提供することにある。
【課題を解決するための手段】
【０００８】
上記の課題を解決するために、請求項１に記載の発明は、目的地へのユーザの到着予定時刻を示す到着予定時刻情報と、前記目的地に到着後の前記ユーザの行動に対応した内容を含む行動対応情報と、前記ユーザを識別する識別情報と、を取得する取得手段と、前記取得した到着予定時刻情報、行動対応情報及び識別情報に基づいて、前記到着予定時刻に対応する時間範囲内に、前記識別情報により示される前記ユーザにより、前記行動対応情報に対応する前記行動が行われたかを判定する判定手段と、前記判定手段における判定結果に基づいて、当該判定結果に対して予め対応付けられている保安処理を行う処理手段と、を備える。
【０００９】
上記の課題を解決するために、請求項８に記載の発明は、保安処理を行う保安管理装置において実行される保安管理方法において、目的地へのユーザの到着予定時刻を示す到着予定時刻情報と、前記目的地に到着後の前記ユーザの行動に対応した内容を含む行動対応情報と、前記ユーザを識別する識別情報と、を取得する取得工程と、前記取得した到着予定時刻情報、行動対応情報及び識別情報に基づいて、前記到着予定時刻に対応する時間範囲内に、前記識別情報により示される前記ユーザにより、前記行動対応情報に対応する前記行動が行われたかを判定する判定工程と、前記判定工程における判定結果に基づいて、当該判定結果に対して予め対応付けられている前記保安処理を行う処理工程と、を含む。
【００１０】
上記の課題を解決するために、請求項９に記載の発明は、コンピュータを、請求項１から請求項７のいずれか一項に記載の保安管理装置に備えられた各前記手段として機能させる。
【図面の簡単な説明】
【００１１】
【図１】実施形態に係る保安管理装置の概要構成を示すブロック図である。
【図２】実施例に係るセキュリティシステムの概要構成を示すブロック図である。
【図３】実施例に係るセキュリティシステムの細部構成を示すブロック図であり、（ａ）は当該セキュリディシステムに含まれる銀行サーバの細部構成を示すブロック図であり、（ｂ）は当該セキュリティシステムに含まれるスマートフォンの細部構成を示すブロック図である。
【図４】実施例に係るセキュリティシステムに含まれるナビゲーション装置の細部構成を示すブロック図である。
【図５】実施例に係るセキュリティシステムにおける保安管理処理等を示すフローチャートである。
【図６】第１変形例に係るセキュリティシステムにおける保安管理処理等を示すフローチャートである。
【発明を実施するための形態】
【００１２】
次に、本願を実施するための形態について、図１を用いて説明する。なお図１は、実施形態に係る保安管理装置の概要構成を示すブロック図である。
【００１３】
図１に示すように、実施形態に係る保安管理装置Ｓは、取得手段１と、判定手段２と、処理手段３と、を備えて構成されている。
【００１４】
この構成において取得手段１は、目的地へのユーザの到着予定時刻を示す到着予定時刻情報と、上記目的地に到着後の上記ユーザの行動に対応した内容を含む行動対応情報と、上記ユーザを識別する識別情報と、を取得する。
【００１５】
これにより判定手段２は、取得手段１により取得した到着予定時刻情報、行動対応情報及び識別情報に基づいて、上記到着予定時刻に対応する時間範囲内に、上記識別情報により示される上記ユーザにより、上記行動対応情報に対応する上記行動が行われたかを判定する。
【００１６】
そして処理手段３は、判定手段２における判定結果に基づいて、当該判定結果に対して予め対応付けられている保安処理を行う。
【００１７】
以上説明したように、実施形態に係る保安管理装置Ｓの動作によれば、到着予定時刻情報、行動対応情報及び識別情報に基づいて、到着予定時刻に対応する時間範囲内に、識別情報により示されるユーザにより行動対応情報に対応する行動が行われたかを判定し、その判定結果に基づいて既定の保安処理を行う。よって、ユーザの行動に対応付けられる到着予定時刻に対応した時間範囲内に当該行動が行われたかに基づいて保安処理を行うので、目的地への到着時刻とユーザの行動とを関連付けて、有効に保安処理を行うことができる。
【実施例】
【００１８】
次に、上述した実施形態に対応する具体的な実施例について、図２乃至図６を用いて説明する。なお以下に説明する実施例は、ユーザに携帯されるスマートフォンと、ユーザが移動する際に用いる車両又は自転車等に搭載されているナビゲーション装置と、ユーザが利用する銀行が有する銀行システムに含まれる銀行サーバと、を含み、当該ユーザがその銀行を利用する際のセキュリティの管理（保安管理）を行うセキュリティシステムに対して、実施形態を適用した場合の実施例である。なお以下の説明においてスマートフォンとは、通常の音声通話の他にインターネット等のネットワークに接続してデータの取得等が可能な、多機能型の携帯型無線電話機をいうものとする。また以下の説明において、ユーザが使用する上記車両又は自転車等を、単に「車両等」と称する。
【００１９】
更に、図２は実施例に係るセキュリティシステムの概要構成を示すブロック図であり、図３は当該セキュリティシステムの細部構成を示すブロック図であり、図４は当該セキュリティシステムに含まれるナビゲーション装置の細部構成を示すブロック図である。更に図５は、当該セキュリティシステムにおける保安管理処理等を示すフローチャートである。ここで図３では、図１に示した実施形態に係る保安管理装置Ｓにおける各構成部材に対応する実施例の構成部材それぞれについて、当該保安管理装置Ｓにおける各構成部材と同一の部材番号を用いている。
【００２０】
図２に示すように、実施例に係るセキュリティシステムＣＳは、上記銀行システムを構成する銀行ＢＫ１、銀行ＢＫ２、銀行ＢＫ３、…、銀行ＢＫｎ（ｎは自然数）にそれぞれ備えられている例えば現金自動預け払い機（いわゆるＡＴＭ（Automated Teller Machine）機）ＡＭに接続された銀行サーバＳＶと、銀行サーバＳＶに対して例えばインターネット等のネットワークＮＴを介して接続されたスマートフォンＳＰ及びナビゲーション装置ＮＶと、により構成されている。なお以下の説明において、銀行ＢＫ１、銀行ＢＫ２、銀行ＢＫ３、…、銀行ＢＫｎについて共通の事項を説明する場合、これらを纏めて単位「銀行ＢＫ」と称する。
【００２１】
このとき、ナビゲーション装置ＮＶはユーザが使用する車両等に搭載されており、一方スマートフォンＳＰは当該ユーザに携帯されて使用される。そしてナビゲーション装置ＮＶとスマートフォンＳＰとは、例えば近距離無線通信方式等を用いて相互にデータの授受が可能とされている。
【００２２】
以上の構成において銀行サーバＳＶは、ネットワークＮＴを介したスマートフォンＳＰ及びナビゲーション装置ＮＶとの間のデータの授受、及び各ＡＴＭ機ＡＭとの間のデータの授受により、後ほど図５等を用いて説明する実施例に係る保安管理処理等を実行する。またナビゲーション装置ＮＶ及びスマートフォンＳＰも、相互にデータの授受を行いつつ、且つ、ネットワークＮＴを介した銀行サーバＳＶとの間のデータの授受により、上記保安管理処理等を実行する。
【００２３】
次に、実施例に係る銀行サーバＳＶ、スマートフォンＳＰ及びナビゲーション装置ＮＶそれぞれの細部構成について、図３及び図４を用いて説明する。
【００２４】
先ず実施例に係る銀行サーバＳＶの細部構成について、図３（ａ）を用いて具体的に説明する。図３（ａ）に示すように、実施例に係る銀行サーバＳＶは、実施形態に係る取得手段１の一例としてのインターフェース１と、ＣＰＵ（Central Processing Unit）、ＲＡＭ（Random Access Memory）及びＲＯＭ（Read Only Memory）等からなる処理部４と、例えば揮発性領域及び不揮発性領域を含む記録部５と、マウス及びキーボード等からなる操作部６と、液晶ディスプレイ等からなるディスプレイ７と、により構成されている。
【００２５】
一方上記処理部４は、実施形態に係る判定手段２の一例としての判定部２と、実施形態に係る処理手段３の一例としての手続部３と、を含んでいる。このとき、上記判定部２及び手続部３は、処理部４を構成するＣＰＵ等に含まれるハードウェアロジック回路により実現することができる。或いは当該判定部２等は、図５に示すフローチャートに相当するプログラムを上記ＣＰＵが読み出して実行することにより、ソフトウェア的に実現されるものであってもよい。そして、図３（ａ）に示す構成における上記インターフェース１、判定部２及び手続部３が、実施形態に係る保安管理装置Ｓに相当している。
【００２６】
上記の構成においてインターフェース１は、処理部４の制御の下、各銀行ＢＫ内のＡＴＭ機ＡＭとの間のデータの授受、及びネットワークＮＴを介したスマートフォンＳＰ及びナビゲーション装置ＮＶとの間のデータの授受を、それぞれ制御する。
【００２７】
一方操作部６は、当該操作部６において行われた、セキュリティシステムＣＳの管理者（以下、単に「管理者」と称する）の指示操作等を示す操作信号を生成して処理部４に出力する。
【００２８】
他方記録部５は、処理部４が実施例に係る保安管理処理等を実行する際に必要なデータ等を一時的に記憶すると共に、当該保安管理処理等を示すフローチャートに対応するプログラム等を不揮発性に記録している。このフローチャートにより示される保安管理処理等については、後ほど図５を用いて詳説する。
【００２９】
そして処理部４は、当該プログラムを読み出して実行することにより、上記判定部２等として当該保安管理処理等を実行する。また、当該保安管理処理等として必要なデータは、処理部４の制御の下、必要に応じてディスプレイ７に表示される。より具体的に判定部２は先ず、スマートフォンＳＰ及びナビゲーション装置ＮＶのユーザが所望する銀行ＢＫへの当該ユーザの到着予定時刻を示す到着予定時刻データ、当該ユーザを他のユーザから識別するためのユーザＩＤ（identification）データ、及び当該銀行ＢＫのＡＴＭ機ＡＭからそのユーザが例えば現金を引き出す際に用いられるべき暗証番号を示す暗証番号データ等がスマートフォンＳＰ又はナビゲーション装置ＮＶから送信されてくると、インターフェース１を介してこれらを取得する。そして判定部２は、各取得された到着予定時刻データ等に基づいて、到着予定時刻データにより示される到着予定時刻に対応する時間範囲内に、ユーザＩＤデータにより示されるユーザが所望の銀行ＢＫに到着してそのＡＴＭ機ＡＭから現金を引き出そうとしたかを判定する。その後手続部３は、判定部２における判定結果に基づいて、当該判定結果に対して予め対応付けられている手続等の処理を実施例に係る保安処理として実行する。
【００３０】
次に実施例に係るスマートフォンＳＰの細部構成について、図３（ｂ）を用いて具体的に説明する。なお実施例に係るスマートフォンＳＰのハードウェア的な構成は、基本的には従来のスマートフォンと同様である。即ち図３（ｂ）に示すように、実施例に係るスマートフォンＳＰは、インターフェース１０と、ＣＰＵ、ＲＡＭ及びＲＯＭ等からなる処理部１４と、例えば揮発性領域及び不揮発性領域を含む記録部１１と、操作ボタン及びタッチパネル等からなる操作部１２と、液晶ディスプレイ等からなるディスプレイ１３と、により構成されている。この他スマートフォンＳＰには、処理部１４の制御の下で動作する図示しない音声通話部（スピーカ及びマイクを含む）と、図示しないバッテリ等が含まれている。
【００３１】
上記の構成においてインターフェース１０は、処理部１４の制御の下、ナビゲーション装置ＮＶとの間のデータの授受、及びネットワークＮＴを介した銀行サーバＳＶとの間のデータの授受を制御する。
【００３２】
一方操作部１２は、スマートフォンＳＰを動作させるために当該操作部１２において行われたユーザの指示操作等を示す操作信号を生成して、処理部１４に出力する。この指示操作等には、例えばナビゲーション装置ＮＶとの後述するペアリング処理のための操作や、銀行ＢＫのＡＴＭ機ＡＭからそのユーザが例えば現金を引き出す際に用いられるべき暗証番号を入力するための操作等が含まれる。
【００３３】
他方記録部１１は、処理部１４が実施例に係る保安管理処理等を実行する際に必要なデータ等を一時的に記憶すると共に、当該保安管理処理等を示すフローチャートに対応するプログラム等を不揮発性に記録している。このフローチャートにより示される保安管理処理等についても、後ほど図５を用いて詳説する。
【００３４】
そして処理部１４は、当該プログラムを読み出して実行することにより当該保安管理処理等を実行する。また、当該保安管理処理等として必要なデータは、処理部１４の制御の下、必要に応じてディスプレイ１３に表示される。この他に処理部１４は、通話相手との通話やホームページの閲覧、或いは電子メールの授受等、当該保安管理処理等以外のスマートフォンＳＰとしての動作を統括制御する。
【００３５】
最後に実施例に係るナビゲーション装置ＮＶの細部構成について、図４を用いて具体的に説明する。なお実施例に係るナビゲーション装置ＮＶのハードウェア的な構成は、基本的には従来のナビゲーション装置と同様である。即ち図４に示すように、実施例に係るナビゲーション装置ＮＶは、例えば上記スマートフォンＳＰを携帯するユーザにより運行される車両等に搭載されているナビゲーション装置である。そしてナビゲーション装置ＮＶは、インターフェース１５と、ＣＰＵ、ＲＡＭ及びＲＯＭ等からなる処理部２０と、センサ部１７と、例えば揮発性領域及び不揮発性領域を含み、ナビゲーション装置ＮＶとしての案内処理に用いられる地図データを含むデータベースＤＢ等を記録する記録部１６と、操作ボタン及びタッチパネル等からなる操作部１８と、液晶ディスプレイ等からなるディスプレイ１９と、により構成されている。
【００３６】
上記の構成においてセンサ部１７は、処理部２０の制御の下、例えばナビゲーション装置ＮＶの現在位置（換言すれば、それが搭載されている車両等の現在位置）や移動方向、或いは回転角度等を、自立的に又はＧＰＳ（Global Positioning System）等を用いて検出し、当該検出された現在位置等を示すデータを処理部２０に出力する。
【００３７】
一方インターフェース１６は、処理部２０の制御の下、スマートフォンＳＰとの間のデータの授受、及びネットワークＮＴを介した銀行サーバＳＶとの間のデータの授受を制御する。
【００３８】
他方操作部１８は、ナビゲーション装置ＮＶを用いた上記案内処理等及び実施例に係る保安管理処理等を行うために当該操作部１８において行われたユーザの指示操作等を示す操作信号を生成して、処理部２０に出力する。この指示操作等には、例えばスマートフォンＳＰとの後述するペアリング処理のための操作や、ユーザが所望する銀行ＢＫを目的地とした案内処理等のための操作等が含まれる。
【００３９】
他方記録部１６は、処理部２０が実施例に係る保安管理処理等を実行する際に必要なデータ等を一時的に記憶すると共に、当該保安管理処理等を示すフローチャートに対応するプログラム等と、上記データベースＤＢと、を不揮発性に記録している。このフローチャートにより示される保安管理処理等についても、後ほど図５を用いて詳説する。
【００４０】
そして処理部２０は、当該プログラムを読み出して実行することにより当該保安管理処理等を実行すると共に、ナビゲーション装置ＮＶとしての上記案内処理等を実行する。また、当該保安管理処理等及び案内処理等として必要なデータや地図等は、処理部２０の制御の下、必要に応じてディスプレイ１９に表示される。この他に処理部２０は、指定された楽曲データの再生やテレビジョン放送の受信等、当該保安管理処理等以外のナビゲーション装置ＮＶとしての動作を統括制御する。
【００４１】
次に、実施例に係る上記保安管理処理等について、具体的に図３乃至図５を用いて説明する。なお当該保安管理処理等は、スマートフォンＳＰの操作部１２又はナビゲーション装置ＮＶの操作部１８において所定の開始操作が実行された時に開始される。また実施例に係る保安管理処理等は、スマートフォンＳＰの処理部１４、ナビゲーション装置ＮＶの処理部２０及び銀行サーバＳＶの処理部４をそれぞれ中心として実行される。なお以下の説明では、上記スマートフォンＳＰの処理部１４を単に「処理部１４」と、ナビゲーション装置ＮＶの処理部２０を単に「処理部２０」と、銀行サーバＳＶの処理部４を単に「処理部４」と、それぞれ称する。
【００４２】
即ち、対応するフローチャートを図５に示すように、実施例に係る保安管理処理が開始されると、処理部１４及び処理部２０は、スマートフォンＳＰの操作部１２又はナビゲーション装置ＮＶの操作部１８における操作に基づいて、相互にいわゆるペアリング処理を行う（ステップＳ１及びステップＳ５）。このとき例えば、スマートフォンＳＰのディスプレイ１３上には「ペアリングを行いますか？」等のメッセージが表示され、これに対応した操作が操作部１２において実行される。このペアリング処理では、処理部４と処理部２０との間で、スマートフォンＳＰのインターフェース１０及びナビゲーション装置ＮＶのインターフェース１５を介して、スマートフォンＳＰを携帯するユーザを他のユーザから識別するためのユーザＩＤを示すユーザＩＤデータ、及び、当該ユーザが所望の銀行ＢＫのＡＴＭ機ＡＭから例えば現金を引き出す際に用いられるべき暗証番号を示す暗証番号データ等が授受される。その後処理部１４及び処理部２０は、当該授受されたユーザＩＤデータ及び暗証番号データ等をスマートフォンＳＰの記録部１１及びナビゲーション装置ＮＶの記録部１６にそれぞれ不揮発性に記録する。以上のペアリング処理により、ユーザＩＤデータ及び暗証番号データ等が、スマートフォンＳＰとナビゲーション装置ＮＶとの間で共有されることになる。
【００４３】
その後処理部１４は、後述するナビゲーション装置ＮＶによる案内処理に基づいて、スマートフォンＳＰのユーザが上記所望の銀行ＢＫに到着するのを待機する（ステップＳ２）。
【００４４】
一方、ステップＳ５の処理によるペアリング処理が完了したら、処理部２０は次に、操作部１８におけるユーザの操作に基づき、上記データベースＤＢ内の地図データ等を用いて、上記所望の銀行ＢＫを検索する（ステップＳ６）。次に処理部２０は、ステップＳ６の処理により検索された銀行ＢＫを目的地として設定し、上記地図データ等を用いて当該銀行ＢＫまでの経路を探索すると共に、当該銀行ＢＫへの到着予定時刻を算出する。これに加えて処理部２０は、銀行ＢＫに到着してからのユーザの行動の内容を示す情報が入力されると、当該行動の内容を示す内容データを生成する（ステップＳ７）。ここでステップＳ７の処理においてその内容が入力されるユーザの上記行動とは、例えば、「銀行カードを用いてその銀行ＢＫのＡＴＭ機ＡＭから現金を引き出す」、又は「銀行カードを用いて当該ＡＴＭ機ＡＭから預け入れる」、或いは「融資の相談をする」等の行動である。なお以下の説明では、ステップＳ７の処理において、銀行ＢＫに到着してからのユーザの行動が「銀行カードを用いてその銀行ＢＫのＡＴＭ機ＡＭから現金を引き出す」行動である旨が入力された場合について説明する。
【００４５】
上記ステップＳ７の処理により到着予定時刻の算出等がされたら、次に処理部２０は、当該算出された到着予定時刻を示す到着予定時刻データ、上記ステップＳ５のペアリング処理により記録部１６に記録されているユーザＩＤデータ及び暗証番号データ、並びに上記ユーザの行動の内容を示す内容データを、銀行サーバＳＶ宛にネットワークＮＴを介して送信する（ステップＳ８）。この場合に処理部２０は、上記内容データとして、「銀行カードを用いて目的地である銀行ＢＫのＡＴＭ機ＡＭから現金を引き出す」旨の内容データを送信することになる。また上記到着予定時刻データには、当該到着予定時刻データにより示される到着予定時刻に到着する予定の銀行ＢＫを示す銀行識別データが含まれている。更に、上記ステップＳ８の送信に当たり、当該送信の了解を得るためのメッセージ等を、事前にナビゲーション装置ＮＶのディスプレイ１９上に表示してもよい。
【００４６】
その後処理部２０は、ナビゲーション装置ＮＶとしての上記案内処理により、ユーザが使用する車両等を、目的地である銀行ＢＫに案内する（ステップＳ９）。そして当該目的地に到達したら、処理部２０は実施例に係る保安管理処理等を終了する。
【００４７】
一方処理部１４は、上記ステップＳ１の処理後は、ナビゲーション装置ＮＶの案内により所望の銀行ＢＫに到着したら（ステップＳ２）、使用すべき暗証番号の操作部１２における入力操作を待って、当該入力された暗所番号を示す暗証番号データと、そのユーザを示すユーザＩＤデータと、を関連付けた上で、当該到着した銀行ＢＫの例えば行内から銀行サーバＳＶ宛に送信し（ステップＳ３）、その後実施例に係る保安管理処理等を終了する。このとき処理部１４は、例えば上記銀行ＢＫ内の無線ＬＡＮ（Local Area Network）システムを介して当該暗証番号データ等を送信してもよいし、或いは、所定の取付装置にスマートフォンＳＰを取り付ける等の操作により当該暗証番号データ等を送信してもよい。
【００４８】
他方処理部４は、例えばその電源が投入された以降、ナビゲーション装置ＮＶから上記到着予定時刻データ等が送信されてくるのを監視している（ステップＳ１０、ステップＳ１０；ＮＯ。ステップＳ８参照。）。ステップＳ１０の監視において上記到着予定時刻データ等が送信されてきたら（ステップＳ１０；ＹＥＳ）、次に処理部４は、スマートフォンＳＰから上記ユーザＩＤデータ等が送信されてきたかを判定する（ステップＳ１１、ステップＳ１１；ＮＯ。ステップＳ３参照。）。ステップＳ１１の判定において上記ユーザＩＤデータ等が送信されてきた場合（ステップＳ１１；ＹＥＳ）、上記ステップＳ１０の監視において送信されてきた内容データにより示される行動が「銀行カードを用いて目的地である銀行ＢＫのＡＴＭ機ＡＭから現金を引き出す」であることから、次に処理部４の判定部２は、上記内容データと共に送信されてきた到着予定時刻データに含まれている銀行識別データにより識別される銀行ＢＫのＡＴＭ機ＡＭにおいて、いずれかの銀行カードが挿入され、更に暗証番号が入力されたかを判定する（ステップＳ１２）。ステップＳ１２の判定において銀行カードの挿入及び暗証番号の入力のいずれもがされない場合（ステップＳ１２；ＮＯ）、処理部４は上記ステップＳ１０の処理に戻る。
【００４９】
一方ステップＳ１２の判定においていずれかの銀行カードが当該ＡＴＭ機ＡＭに挿入され且つ暗証番号が入力された場合（ステップＳ１２；ＹＥＳ）、次に判定部２は、上記ステップＳ１１の判定において送信されてきたユーザＩＤデータ及び暗証番号データに基づき、ステップＳ１２の判定において挿入された銀行カードから読み取られたデータの内容が当該ユーザＩＤデータ及び暗証番号データの内容に対応しており、且つ、当該銀行カードが挿入された時刻が、上記ステップＳ１０の監視において送信されてきた到着予定時刻データにより示される到着予定時刻を含んで予め設定された時間幅内の時刻であるかを判定する（ステップＳ１３）。ステップＳ１３の判定において、ＡＴＭ機ＡＭに挿入された銀行カードから読み取られたデータの内容が当該ユーザＩＤデータ及び暗証番号データの内容に対応していないか、又は、当該銀行カードが挿入された時刻が上記時間幅内の時刻でない場合（ステップＳ１３；ＮＯ）、判定部２は、上記挿入された銀行カードが不正な銀行カードであるか、又は、当該時間幅内に到着すべきユーザ以外の第三者が到着して銀行カードの挿入等を行った可能性があるとして、当該可能性がある旨を、例えば当該銀行ＢＫの担当者が扱う端末装置上に警告表示として表示させる処理等により通報する（ステップＳ１５）。その後処理部４は、実施例に係る保安管理処理等を終了する。
【００５０】
ここで上記時間幅の例として具体的には、例えば、上記到着予定時刻データにより示される到着予定時刻を中心として前後１０分を含む２０分の時間幅が挙げられる。また、上記到着予定時刻を含んで前５分、後１５分の合計２０分の時間幅としてもよい。或いは、時間幅としてもっと短い時間であってもよい。更には、当該銀行ＢＫにユーザが到着するまでの道程における混雑状況等を示すデータが入手できる場合、当該混雑状況等に応じて時間幅を後の方にずらしてもよい。この場合には、上記到着予定時刻が当該時間幅に含まれず、当該時間幅全体が当該到着予定時刻よりも後になる場合も生じ得る。更に、銀行ＢＫまでの経路探索時に存在していた渋滞が解消された場合等、最初の経路探索時に算出された到着予定時刻よりも早く銀行ＢＫに到着できる場合には、当該最初の到着予定時刻が上記時間幅に含まれず、且つ当該時間幅全体が当該最初の到着予定時刻よりも前になる場合も生じ得る。
【００５１】
一方ステップＳ１３の判定において、ＡＴＭ機ＡＭに挿入された銀行カードから読み取られたデータの内容が当該ユーザＩＤデータ及び暗証番号データの内容に対応しており、且つ、当該銀行カードが挿入された時刻が上記時間幅内の時刻である場合（ステップＳ１３；ＹＥＳ）、判定部２は、上記挿入された銀行カードが適正な銀行カードであり、且つ当該時間幅内に到着すべきユーザ自身が到着して銀行カードの挿入等を行ったと判定し、その後の所望される手続（実施例の場合、ＡＴＭ機ＡＭからの現金の引き出し）に進む。これを受けて処理部４の手続部３は、当該引き出しのための手続及び処理等を実行する（ステップＳ１４）。その後処理部４は、実施例に係る保安管理処理等を終了する。
【００５２】
以上それぞれ説明したように、実施例に係るセキュウリティシステムＣＳによる保安管理処理等によれば、到着予定時刻データ、内容データ及びユーザＩＤデータに基づいて、到着予定時刻に対応する時間幅内に、ユーザＩＤデータにより示されるユーザにより内容データに対応する行動が行われたかを判定し、その判定結果に基づいて既定の通報処理等を行う（図５ステップＳ１３、同ステップＳ１５参照）。よって、銀行ＢＫに到着後のユーザの行動に対応付けられる到着予定時刻に対応した時間幅内に当該行動が行われたかに基づいて通報処理等を行うので、目的地への到着時刻とユーザの行動とを関連付けて、有効にセキュリティの管理を行うことができる。
【００５３】
また、到着予定時刻に対応する時間幅内に既定の行動（例えば銀行カードの挿入及び暗証番号の入力等）が行われていないと判定された場合にその判定結果を通報するので、セキュリティ上問題のある行為が行われた可能性がある旨を的確に通報してセキュリティを万全とすることができる。
【００５４】
更に、銀行サーバＳＶに送信される到着予定時刻データにより示される到着予定時刻が、ユーザのナビゲーション装置ＮＶにおいて探索された経路に係る到着予定時刻であり、ネットワークＮＴを介して、少なくとも到着予定時刻データ及びユーザＩＤデータをナビゲーション装置ＮＶから取得するので、ユーザの要望する行動に適応したセキュリティの管理を行うことができる。
【００５５】
更にまた、内容データに対応する行動が目的地（いずれかの銀行ＢＫ）に到着したユーザにおける当該目的地における行動であり、当該行動が当該目的地において行われたかを判定するので、目的地内において行われるべきユーザの行動に関連して、有効にセキュリティの管理を行うことができる。
【００５６】
また、目的地たる銀行ＢＫにおける暗証番号の入力処理が実施例に係る保安管理処理等に含まれているので、ユーザの個人情報等を保護しつつ、所望のセキュリティの管理を行うことができる。
【００５７】
[変形例]  
次に、実施形態に対応する変形例について説明する。
【００５８】
（Ｉ）第１変形例
はじめに第１変形例について、図６を用いて説明する。なお図６は、第１変形例に係るセキュリティシステムにおける保安管理処理等を示すフローチャートであり、実施例に係るセキュリティシステムにおける保安管理処理等と同一の処理については同一のステップ番号を用いている。また、第１変形例を含んで以下に説明する各変形例に係るセキュリティシステムはそれぞれ、ハードウェア的には実施例に係るセキュリティシステムＣＳと同様であるので、以下の説明では異なる部分のみを示し、その他の部分については実施例に係るセキュリティシステムＣＳと同様の部材番号を用いて説明する。
【００５９】
第１変形例に係るセキュリティシステムには、実施例に係るセキュリティシステムＣＳに含まれていたスマートフォンＳＰは含まれておらず、実施例に係るナビゲーション装置ＮＶ及び銀行サーバＳＶと同様のナビゲーション装置及び銀行サーバのみが含まれている。
【００６０】
即ち第１変形例に係るセキュリティシステムでは、実施例に係るスマートフォンＳＰとナビゲーション装置ＮＶとの間で行われていたペアリング処理は実行されず、第１変形例に係るナビゲーション装置の記録部１６内には、当該ナビゲーション装置を使用するユーザを他のユーザから識別するためのユーザＩＤデータ、及び銀行ＢＫにおける諸手続用の暗証番号を示す暗誦番号データが記録済みとされている。この状態で第１変形例に係るナビゲーション装置では、実施例に係るナビゲーション装置ＮＶと同様の、所望される銀行ＢＫの検索処理（ステップＳ６）、当該銀行ＢＫへの到着予定時刻の算出処理及び対応する内容データの生成処理等（ステップＳ７）、到着予定時刻データ等の銀行サーバへの送信処理（ステップＳ８）、及び、銀行ＢＫまでの案内処理（ステップＳ９）が、それぞれ実行される。
【００６１】
一方、第１変形例に係る銀行サーバでは、実施例に係る銀行サーバＳＶと同様の、到着予定時刻データ等の送信監視処理（ステップＳ１０）、銀行カードの挿入及び暗証番号の入力判定処理（ステップＳ１２）、到着予定時刻と既定の時間幅との比較／判定処理（ステップＳ１３）、必要な手続及び処理等（ステップＳ１４）、及び通報処理（ステップＳ１５）が、それぞれ実行される。
【００６２】
なお、第１変形例に係る保安管理処理等の場合、スマートフォンＳＰから改めて暗証番号データ等が送信されてくることがないため、第１変形例に係る銀行サーバでは、ステップＳ１０の監視において送信されてきたユーザＩＤデータ及び暗証番号データ等に基づいて、ステップＳ１３の判定を行う。
【００６３】
以上説明した第１変形例に係る保安管理処理等によっても、実施例に係る保安管理処理等と同様の作用効果を奏することができる。
【００６４】
（II）その他の変形例
次に、実施形態に対応するその他の変形例について、それぞれ説明する。
【００６５】
先ず第２変形例として、上記の実施例に係る保安管理処理等では、ユーザが所望する銀行ＢＫをその都度指定する構成とした。しかしながら、例えばユーザが普段よく利用する銀行ＢＫが複数ある場合、それらをスマートフォンＳＰ又はナビゲーション装置ＮＶに予め記録させておき、それらのうちのいずれかをスマートフォンＳＰ又はナビゲーション装置ＮＶにおいて選択することで、当該選択された銀行ＢＫに赴くように構成してもよい。
【００６６】
この第２変形例に係る保安管理処理等によれば、実施例に係るセキュリティシステムＣＳにおける保安管理処理等による作用効果に加えて、目的地たる銀行ＢＫがユーザのスマートフォンＳＰ等内に予め記録されており、スマートフォンＳＰ等において選択された目的地（いずれかの銀行ＢＫ）への到着予定時刻を示す到着予定時刻データが銀行サーバＳＶに送信されることになるので、ユーザの要望する行動に適応したセキュリティの管理を、ユーザの負担を軽減しつつ行うことができる。
【００６７】
また第３変形例として、所望の銀行ＢＫに到着する度に暗証番号を入力するのではなく（図４ステップＳ３参照）、スマートフォンＳＰ又はナビゲーション装置ＮＶにおいて予め入力された暗証番号を不揮発性に且つ保全性を確保して記録しておくと共に、スマートフォンＳＰのディスプレイ１３又はナビゲーション装置ＮＶのディスプレイ１９上には例えば「引き出し」ボタンを表示しておき、当該引き出しボタンが操作されたことで暗証番号の入力と見做すように構成してもよい。
【００６８】
このような第３変形例の構成によれば、実施例に係るセキュリティシステムＣＳにおける保安管理処理等による作用効果に加えて、その都度の暗証番号の入力が不要となることで、ユーザの手間を省くことができると共に、その都度入力することによる暗証番号の入力間違い等を最小限に抑えることができる。
【００６９】
更に第４変形例として、実施例に係るセキュリティシステムＣＳでは、ナビゲーション装置ＮＶを用いて経路を設定してユーザを所望の銀行ＢＫまで案内する構成としたが、普段よく利用する銀行ＢＫの場合、わざわざ経路を設定して案内する必要がない場合がある。このような場合には、目的地たる銀行ＢＫの指定のみをユーザに要求し、その後の経路案内は見かけ上行わないこととし、例えばナビゲーション装置ＮＶのディスプレイ１９には経路が表示されない状態でユーザが所望の銀行ＢＫに到着するのを待つように構成してもよい。この第４変形例の場合には、図４ステップＳ９の案内処理は実行されず、その他の処理が実施例に係る保安管理処理等に準じて実行されることになる。このような第４変形例の場合には、ナビゲーション装置ＮＶとしての経路表示等の処理負担を軽減することができるといった作用効果が期待できる。
【００７０】
更にまた第５変形例として、実施例に係るセキュリティシステムＣＳでは、ナビゲーション装置ＮＶを用いてユーザを所望の銀行ＢＫまで案内する構成としたが、これ以外に、スマートフォンＳＰにおけるナビゲーションプログラムの実行により、スマートフォンＳＰの機能とナビゲーション装置ＮＶの機能とを一つのスマートフォンにより賄うように構成してもよい。この場合は、図４に示すペアリング処理を省略することができるので、より簡易且つ単純な構成で実施例に係るセキュリティシステムＣＳと同様の保安管理処理等を行うことができる。
【００７１】
また第６変形例として、指定済み（図４ステップＳ６参照）の銀行ＢＫを解除するための操作ボタン等を表示するように構成してもよいし、目的地たる銀行ＢＫの周辺の施設等を、例えば駐車場の有無等を手掛かりにして直ちに検索するための操作ボタン等を表示するように構成してもよい。
【００７２】
更に第７変形例として、実施例に係るスマートフォンＳＰに代えて、携帯型のパーソナルコンピュータや通話機能を有さないいわゆるタブレット端末等を用いて、実施例に係るセキュリティシステムＣＳを構成することもできる。また、銀行ＢＫにおける手続が「銀行カードを用いて当該ＡＴＭ機ＡＭから預け入れる」手続の場合には、実施例に係るセキュリティシステムＣＳと同様に銀行カードの挿入等をもって図４ステップＳ１２の判定とすることができるが、例えば「融資の相談をする」手続の場合には、例えば相談用の部屋に入ったか、又は相談用の椅子に着席したかを検出することで、上記図４ステップＳ１２の判定に代えることができる。
【００７３】
最後に第８変形例として、銀行ＢＫに関連する行動だけでなく、保安管理されている部屋又は建物に対するいわゆる入室管理に対して本願を適用してもよい。この場合、その部屋又は建物への到着予定時刻を基準とした時間幅内に当該到着すべき者が到着した場合には、当該到着した旨が通報される。また、当該時間幅内にその者が到着しない場合、又は当該時間幅内ではあるが別の者が到着した場合にも、それぞれの旨が通報されるように構成すればよい。
【００７４】
更に、図４に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る処理部４として機能させることも可能である。
【符号の説明】
【００７５】
１    取得手段（インターフェース）
２    判定手段（判定部）
３    処理手段（手続部）
４、１４、２０    処理部
Ｓ    保安管理装置
ＣＳ    セキュリティシステム
ＢＫ１、ＢＫ２、ＢＫ３、ＢＫｎ    銀行
ＡＭ    ＡＴＭ機
ＳＶ    銀行サーバ
ＳＰ    スマートフォン
ＮＶ    ナビゲーション装置
【図１】
2016062288.tif 000003
【図２】
2016062288.tif 000004
【図３】
2016062288.tif 000005
【図４】
2016062288.tif 000006
【図５】
2016062288.tif 000007
【図６】
2016062288.tif 000008